(57)【特許請求の範囲】
【請求項１】
液貯留部を設けた軸本体内に、当該軸本体に対して一方向のみ回転可能にするラチェット機構を備えた回転操作部と、
前記回転操作部に回転方向に固定された雄ネジのネジ軸と、
前記ネジ軸に螺合してネジ軸の回転により軸本体内部を移動する可動雌ネジ部材と、
軸本体内部に気密性を確保した状態で嵌合し、中心部をネジ軸が貫通したピストンと、
前記回転操作部の軸本体に対する回転によってネジ軸が回転して可動ネジ部材の移動によってピストンが軸本体内部を進んで前記液貯留部を押圧し、前記液貯留部内の液を塗布体へと供給する液体塗布具であって、
可動雌ネジ部材の外周に軸方向に延びた複数の突起を設け、
この突起の先端が軸本体内壁面に内接して可動雌ネジ部材の軸本体に対する回転が規制されていることを特徴とする液体塗布具。
【請求項２】
ピストンと可動雌ネジ部材との間のネジ軸に接する位置にシール部材を設けたことを特徴とする請求項１に記載の液体塗布具。
【請求項３】
ネジ軸は液貯留部内にまたは軸本体の先端側に延在していることを特徴とする請求項１または２に記載の液体塗布具。
【請求項４】
シール部材は、ジメチルシリコーンオイルであることを特徴とする請求項２または請求項３に記載の液体塗布具。
【発明の詳細な説明】
【技術分野】
【０００１】
本発明は液体口紅、マニキュア液等の塗布液体を内蔵し、液体押圧機構（内蔵されたピストン・ナット等が上昇する）によって適宜、塗布体へと液体を供給する液体塗布具に関する。
【背景技術】
【０００２】
この種の液体塗布具としては、図７に示すように、軸本体ａの後部に、一方向のみ回転可能なラチェット機構ｂ１を備え、尾栓ｂ２を回転操作させることによりネジ軸ｃを回転させる繰出体ｂと、ネジ軸ｃ外周の雄ネジに螺合する雌ネジ部材ｄとを設けている。ネジ軸ｃ先端には、ピストンｆが設けられている。
【０００３】
また、軸本体ａ前部内には、液貯留部ｅが形成されていて、この液貯留部ｅ内にピストンｆが前進する。軸本体ａ前端にパイプ継手ｇを介して塗布体ｈが取り付けられている。なお、図７において、符号ｉは液体を通すパイプ、ｊは塗布体ｈを覆う先軸、ｋはキャップである。
【０００４】
前記繰出体ｂを回転操作することによって、ピストンｆはネジ軸ｃに連動し前進してピストンｆは塗布体ｈ側に前進する（押し上げる）ことで液貯留部ｅ内の液体を押圧して、その液体を塗布体ｈに向けて吐出させる構造が多い。
【０００５】
例えば、特開２００２−１６５６３７号公報（特許文献１）等に記載の液体塗布具では、回転繰り出し機構によって液体を塗布体に吐出している。
【０００６】
しかしながら、上述の構造では、軸本体内の軸線方向に対し、ピストンを終点まで押し上げるネジ軸の前進量を確保する必要があり、必然的に概ね（ネジ全長）＝（液貯留部全長）という寸法関係になる。
【０００７】
つまり、軸本体内全長に対し、液貯留部は全長の半分程度しか確保することができず、残りがデッドスペースとなってしまい、製品に対して塗布液体の充填量が少なくなってしまうという問題があった。
【０００８】
なお、特開２００８−２１３８５９号公報（特許文献２）では、ピストンの内周部に軟質材形成部を設けてピストンとの螺合部分のシール性を向上させた、ピストンの液漏れ対策の技術が開示されている。
【０００９】
しかしながら、上記の構造では、軟質材形成部が液体に直接触れるため、当該軟質材が経時的に劣化してシール性が低下し、液漏れし易いという問題があった。
【先行技術文献】
【特許文献】
【００１０】
【特許文献１】特開２００２−１６５６３７号公報
【特許文献２】特開２００８−２１３８５９号公報
【発明の概要】
【発明が解決しようとする課題】
【００１１】
本発明は、上記の実情に鑑み、軸本体内部のデッドスペースを減少させ、内溶液の充填量を増やし、また、雄ネジと雌ネジの螺合部分の液漏れを確実に防止できる液体塗布具を提供しようとするものである。
【課題を解決するための手段】
【００１２】
本発明は液体塗布具に係るものである。
【００１３】
本発明は、液貯留部を設けた軸本体内に、当該軸本体に対して一方向のみ回転可能にするラチェット機構を備えた回転操作部と、
前記回転操作部に回転方向に固定された雄ネジのネジ軸と、
前記ネジ軸に螺合してネジ軸の回転により軸本体内部を移動する可動雌ネジ部材と、
軸本体内部に気密性を確保した状態で嵌合し、中心部をネジ軸が貫通したピストンと、
前記回転操作部の軸本体に対する回転によってネジ軸が回転して可動ネジ部材の移動によってピストンが軸本体内部を進んで前記液貯留部を押圧し、前記液貯留部内の液を塗布体へと供給する液体塗布具であって、
可動雌ネジ部材の外周に軸方向に延びた複数の突起を設け、
この突起の先端が軸本体内壁面に内接して可動雌ネジ部材の軸本体に対する回転が規制されていることを特徴とする液体塗布具である。
【００１４】
本発明においては、ピストンと可動雌ネジ部材との間のネジ軸に接する位置にシール部材を設けたことが好適である。
【００１５】
また、本発明においては、ネジ軸は液貯留部内にまたは軸本体の先端側に延在していることが好適である。
【００１６】
また、本発明においては、シール部材は、ジメチルシリコーンオイルであることが好適である。
【発明の効果】
【００１７】
本発明の液体塗布具によれば、回転操作部の操作によってネジ軸を回転させ、これによって可動雌ネジ部材を軸本体内部で移動させ、その可動ネジ部材の移動によってピストンを軸本体内部で進ませて前記液貯留部を押圧し、前記液貯留部内の液体を塗布体へと供給するものであり、可動雌ネジ部材の外周に軸方向に延びた複数の突起を設け、この突起が軸本体内壁面に内接して可動雌ネジ部材の軸本体に対する回転を規制させているので、可動雌ネジ部材が軸本体に対して軸方向に移動してピストンを押す構成である。したがって、回転操作部のラチェット機構からネジ軸を延在させて、ネジ軸に可動雌ネジ部材を螺着させているので、可動雌ネジ部材およびピストンは、ネジ軸の尾栓後端近辺まで下げて原位置にすることができ、かつ、軸本体の前端部までピストンを移動させることができる。
【００１８】
したがって、軸本体内に形成する液貯留部をスペース効率良く配置することができる。よって、軸本体内部のデッドスペースを減少させ、内溶液の充填量を増やすことができる。
【００１９】
なお、本発明において、ピストンと可動雌ネジ部材との間のネジ軸に接する位置にシール部材を設けることにより、シール部材が液貯留部内の液体に直接接することなくネジ軸の雄ネジと雌ネジの螺合部分の液漏れを確実に防止できる。
また、ネジ軸は液貯留部内にまたは軸本体の先端側に延在していることが好ましい。
【００２０】
また、シール部材、特にジメチルシリコーンオイルを配置することにより、確実にシールして液漏れを防止できる。
【図面の簡単な説明】
【００２１】
【図１】本発明の実施形態に係る液体塗布具の全体説明図であって可動ネジ部材およびピストンが原位置の場合の軸本体を縦断した斜視図である。
【図２】図１の液体塗布具の可動ネジ部材およびピストンが前進途中である軸本体を縦断した斜視図である。
【図３】図１の液体塗布具の回転操作部、可動雌ネジ部材およびピストンの拡大説明図である。
【図４】図１の液体塗布具のピストン周辺の縦断拡大図である。
【図５】図１の液体塗布具の可動雌ネジ部材および軸本体の図２のＶ−Ｖ線に沿う横断面図である。
【図６】図５に示す可動雌ネジ部材の複数の突起の詳細断面図である。
【図７】従来の液体塗布具の全体斜視図である。
【発明を実施するための形態】
【００２２】
以下、本発明の実施形態について、添付図面を参照して説明する。
【００２３】
図１〜図６は、実施形態に係る液体塗布具およびその各部構造の説明図である。
【００２４】
図１〜２に示すように、液体塗布具は、液貯留部１２を設けた軸本体１０内に、当該軸本体１０に対して一方向のみ回転可能にするラチェット機構１４を備えた回転操作部１６と、前記回転操作部１６に回転方向に固定された雄ネジのネジ軸１８と、前記ネジ軸１８に螺合してネジ軸１８の回転により軸本体１０内部を移動する可動雌ネジ部材２０と、軸本体１０内部に気密性を確保した状態で嵌合し、中心部の孔をネジ軸１８が進退動自在に貫通した（ネジ軸１８とピストン２２は螺合しておらず互いに独立に回転できる）ピストン２２と、前記回転操作部１６の軸本体１０に対する回転によってネジ軸１８が回転して可動ネジ部材の移動によってピストン２２が軸本体１０内部を進んで前記液貯留部１２を押圧し、前記液貯留部１２内の液を塗布体２４へと供給する液体塗布具である。
【００２５】
前記軸本体１０は全体が概略中空筒状である。軸本体１０の前部の前端部１０ａにおいては、液貯留部１２形成部よりも外・内周面を段状に細径にしている。その前端部１０ａに、軸心に液体通路を形成したパイプ継手２６を嵌め込んでいる。パイプ継手２６の前端に前記塗布体２４の基部が当接し、かつ、該塗布体２４を前方から中空コーン状の先軸２８が覆っていて、その先軸２８が軸本体１０の前端部１０ａ内に嵌め込まれて、塗布体２４が軸本体１０に固定されている。該塗布体２４には、パイプ継手２６の液体通路に嵌めたパイプ３０が塗布体２４内に延在しており、パイプ３０によって液体の塗布体２４流通を効率化している。液体塗布具の不使用時には、軸本体１０前端部には塗布体２４を覆ってその乾燥を防ぐキャップ３２が着脱可能に外嵌めされる。
【００２６】
また、軸本体１０中央部の大部分は、中空内が液貯留部１２になっている。液貯留部１２内の収容される液体は液体口紅、マニキュア液等の塗布液体を初めとする種々の塗布液体を収容できる。液貯留部１２は、内周面が同径に形成されていて、ピストン２２の外周面部（ピストンシール部２２ａ、２２ａ）が液密性を維持して摺接して前進できる構成になっている。
【００２７】
また、図１〜図４に示すように、軸本体１０の後端部１０ｂでは、回転操作部１６のラチェット機構１４を内挿し、後端部外周に筒状の尾栓１６ａを抜け留めして回転自在に外装している。軸本体１０の後端部１０ｂは外周面が切り欠かれて液貯留部１２外周面よりも細径になっており、その細径を埋めるように尾栓１６ａが嵌められている。尾栓１６ａは後端部内面がラチェット機構１４の後端に固定され、尾栓１６ａの回転操作で（使用者が手指で回転させる）ラチェット機構１４が回転するようになっている。ラチェット機構１４の内周部は異形（長円形形状等）の孔部が形成され、その孔部はネジ軸１８の異形の外周形状に対応しており、尾栓１６ａの回転操作でラチェット機構１４が回転して、同時に、ネジ軸１８も回転する構成になっている。ネジ軸１８の外周には、凹部以外に雄ネジが形成されている。
【００２８】
ラチェット機構１４は、筒体の一部を切り欠いてカンチレバー形態に弾性変形可能に形成され、その先端が尖った爪状部１４ａが径方向外向きに弾発形成されており、後端部１０ｂの内周面には、爪状部１４ａが係合離脱する凹凸部１４ｂが形成されている。
【００２９】
尾栓１６ａの右回転（一方向）操作によって爪状部１４ａが後端部１０ｂ内の凹凸部１４ｂに係合離脱して、クリック感を持って回転し、一方、左回転（他方向）操作によって、爪状部１４ａが凹凸部１４ｂに係止して、回転を規制する。
【００３０】
可動雌ネジ部材２０の内周部には雌ネジ２０ａが形成され、ネジ軸１８が螺合する。ネジ軸１８の回転により可動雌ネジ部材２０は進退動する。前記ラチェット機構１４が右回転（一方向）のみ回転し、この回転で可動雌ネジ部材２０は、塗布体２４方向に前進し、後退は規制される。
【００３１】
前記可動雌ネジ部材２０の外周には、図３〜図６に示すように、軸方向に延びた複数の突起３４を設けている。この突起３４先端が、軸本体１０内壁面に内接して（弾性変形して当接して）可動雌ネジ部材２０の軸本体１０に対する回転が規制（回り止め）されている。突起３４は、軸方向に延びるので、回転方向への摺接力よりも軸方向への摺接力が低くなり、回転操作部１６の回転時にネジ軸１８が回転しても可動雌ネジ部材２０は回転せず、螺合したネジ軸１８と雌ネジ２０ａによって、可動雌ネジ部材２０が前進する。また、ネジ軸１８は、回転操作部１６側から液貯留部１２内にまたは軸本体１０の先端側に延在している。ピストン２２が液貯留部１２内を亘って前進して、収容した液体を塗布体２４に向けて余すことなく押し出せるようにしている。
【００３２】
前記ピストン２２には、前記可動雌ネジ部材２０の筒状に延びた前端部が当接しており、前記可動雌ネジ部材２０の前進によって前記ピストン２２が前進するようになっている。なお、ピストン２２は外周面が鼓形状を呈して、外周の前端・後端が液貯留部１２内周面に摺接するピストンシール部２２ａ、２２ａになっている。
【００３３】
また、図４に示すように、ピストン２２と可動雌ネジ部材２０との間のネジ軸１８に接する位置にシール部材３６を設けたものである。そして、シール部材３６は、シリコーンゴム製である。シール部材３６はその弾性でネジ軸１８周囲にまとわりつき、ピストン２２の中央の挿通孔を通った液体がそのシール部材３６によってシールされ、それよりも後方に漏れないようにしている。シール部材には、市販のシリコーンゴムの他、ジメチルシリコーンオイル、ポリエチレングリコール、ポリプロピレングリコールを用いることが好ましいが、特に高粘度のジメチルシリコーンオイル（例えば、信越化学工業（株）製  ＫＦ−９６Ｈ−１００万ｃｓ）が最も優れた効果を発揮することができる。
【００３４】
前記軸本体１０は、ポリプロピレン（ＰＰ）、ポリエチエレンテレフタレート（ＰＥＴ）であることが好ましい。
【００３５】
可動雌ネジ部材２０は、ポリプロピレン（ＰＰ）、アクリロニトリル・ブタジエン・スチレン（ＡＢＳ）であることが好ましい。
【００３６】
ピストン２２は、ポリプロピレン（ＰＰ）、ポリエチレン（ＰＥ）であることが好ましい。
【００３７】
以上の説明のように、実施形態の液体塗布具によれば、液貯留部１２を設けた軸本体１０内に、当該軸本体１０に対して一方向のみ回転可能にするラチェット機構１４を備えた回転操作部１６と、前記回転操作部１６に回転方向に固定された雄ネジのネジ軸１８と、前記ネジ軸１８に螺合してネジ軸１８の回転により軸本体１０内部を移動する可動雌ネジ部材２０と、軸本体１０内部に気密性を確保した状態で嵌合し、中心部の孔をネジ軸１８が進退動自在に貫通したピストン２２と、回転操作部１６の操作によってネジ軸１８を回転させ、これによって可動雌ネジ部材２０を軸本体１０内部で移動させることができる。
【００３８】
回転操作部１６のラチェット機構１４からネジ軸１８を延在させて、ネジ軸１８に可動雌ネジ部材２０を螺着させているので、可動雌ネジ部材２０およびピストン２２は、ネジ軸１８の尾栓１６ａ後端近辺まで下げて原位置にすることができ、かつ、軸本体１０の前端部までピストン２２を移動させることができる。したがって、軸本体１０内に形成する液貯留部１２をスペース効率良く配置することができる。
【００３９】
すると、その可動雌ネジ部材２０の移動によってピストン２２を軸本体１０内部で進ませて前記液貯留部１２を押圧し、前記液貯留部１２内の液を塗布体２４へと供給する。可動雌ネジ部材２０の外周に軸方向に延びた複数の突起３４を設け、この突起３４が軸本体１０内壁面に内接して可動雌ネジ部材２０の軸本体１０に対する回転を規制させているので、可動雌ネジ部材２０が軸本体１０に対して軸方向に移動してピストン２２を押す構成になる。
【００４０】
この構成によって、軸本体１０内部のデッドスペースを減少させ、内溶液の充填量を増やすことができる。
【００４１】
また、ピストン２２と可動雌ネジ部材２０との間のネジ軸１８に接する位置に弾性材からなるシール部材３６を設けているので、ネジ軸１８の雄ネジと雌ネジ２０ａの螺合部分の液漏れを確実に防止できる液体塗布具を提供できる。
【００４２】
また、ネジ軸１８は液貯留部１２内にまたは軸本体１０の先端側に延在している。少なくとも、液貯留部１２の全長に亘ってピストン２２が前進する構成であることが好ましい。
【００４３】
また、シール部材３６は、シリコーンゴム製であることにより、確実にシールして液漏れを防止できる。
【産業上の利用可能性】
【００４４】
本発明の液体塗布具は、本体内部のデッドスペースを減少させ、内溶液の充填量を増やし、また、雄ネジと雌ネジの螺合部分の液漏れを確実に防止できる液体塗布具に利用することができる。
【符号の説明】
【００４５】
１０  軸本体
１０ａ  軸本体の前端部
１０ｂ  軸本体の後端部
１２  液貯留部
１４  ラチェット機構
１４ａ  爪状部
１４ｂ  凹凸部
１６  回転操作部
１６ａ  尾栓
１８  ネジ軸
２０  可動雌ネジ部材
２０ａ  雌ネジ
２２  ピストン
２２ａ、２２ａ  ピストンシール部
２４  塗布体
２６  パイプ継手
２８  先軸
３０  パイプ
３２  キャップ
３４  突起
３６  シール部材
【図１】
0005610775.tif 000002
【図２】
0005610775.tif 000003
【図３】
0005610775.tif 000004
【図４】
0005610775.tif 000005
【図５】
0005610775.tif 000006
【図６】
0005610775.tif 000007
【図７】
0005610775.tif 000008